(57)【特許請求の範囲】
【請求項１】
コイルに流す電流の方向を切り換えることによって固定端子に対し可動端子を相対的に変位させることにより対向配置された固定端子と可動端子を当接開離する電磁リレーにおいて、前記固定端子及び前記可動端子それぞれの上端部にカシメ接合された補助部材を備え、前記補助部材は、端子に接合される鉛直面と実装基板に対し平行な水平面とからなる略Ｌ字形状を有し、前記水平面には端子を制御対象物に電気的に接合するためのネジ取付穴が形成されていることを特徴とする電磁リレー。
【請求項２】
請求項１に記載の電磁リレーにおいて、
前記水平面が、電磁リレーの高さ方向中央位置付近に位置することを特徴とする電磁リレー。
【請求項３】
請求項１又は請求項２に記載の電磁リレーにおいて、
前記補助部材を端子にカシメ接合するためのダボ及び穴の位置が前記固定端子側及び前記可動端子側とで同じ位置にあり、前記ネジ取付穴が前記水平面の中央位置からずらして形成されていることを特徴とする電磁リレー。
【請求項４】
請求項１乃至請求項３のうち、いずれか１項に記載の電磁リレーにおいて、
前記固定端子及び前記可動端子の下端部に実装基板に挿通するためのダミー端子が形成されていることを特徴とする電磁リレー。
【発明の詳細な説明】
【技術分野】
【０００１】
本発明は、電力メータ用リレーに適用して好適な電磁リレーに関する。
【背景技術】
【０００２】
従来より、60A程度の高容量を定格とする電力メータ用リレーは、２つの電磁リレーを実装基板の面内方向に並べて配置することにより構成されていた。
【特許文献１】特開2001-143594号公報
【発明の開示】
【発明が解決しようとする課題】
【０００３】
従来の電磁リレーでは、可動端子及び固定端子を電力メータ等の制御対象物に取り付けるためのネジ取付面が実装基板に対し垂直方向に位置するために、例えば図５に示すように２つの電磁リレー１０ａ，１０ｂを実装基板の面内方向に並べて配置する場合、内側に位置する可動端子１１及び固定端子１２へのネジの取付作業が困難になる。なおこのような問題を解決するために、ネジの取付作業が容易になるように電磁リレー１０ａ，１０ｂを離間配置させる方法が考えられるが、この方法を用いた場合には電力メータ用リレー全体の大きさが大きくなる。
【０００４】
一方、通電に伴う可動端子及び固定端子の温度上昇を抑制するためには、端子の断面積（板厚）を極力大きくすることが望ましい。ところが従来の電磁リレーでは、図６に示すような曲げ加工により可動端子１１及び固定端子１２の長手方向長さを規制する構成になっている。このため、端子の断面積を大きくした場合、端子の曲げ高さが必然的に大きくなることから、電磁リレーの小型化を図る上では端子の断面積を大きくすることが難しい。
【０００５】
本発明は、上記課題を解決するためになされたものであり、その目的は、大型化することなく、固定端子及び可動端子の制御対象物への取付作業を容易にすると共に通電に伴う固定端子及び可動端子の温度上昇を抑制可能な電磁リレーを提供することにある。
【課題を解決するための手段】
【０００６】
本発明に係る電磁リレーは、コイルに流す電流の方向を切り換えることによって固定端子に対し可動端子を相対的に変位させることにより対向配置された固定端子と可動端子を当接開離する電磁リレーにおいて、固定端子及び可動端子それぞれの上端部にカシメ接合された補助部材を備え、補助部材は、端子に接合される鉛直面と実装基板に対し平行な水平面とからなる略Ｌ字形状を有し、水平面には端子を制御対象物に接合するためのネジ取付穴が形成されていることを特徴とする。
【発明の効果】
【０００７】
本発明に係る電磁リレーによれば、ネジ取付面が実装基板に対し平行に位置しているので、大型化することなく、固定端子及び可動端子の制御対象物への取付作業を容易にすることができる。また本発明に係る電磁リレーによれば、ネジ取付部周囲の端子の断面積を大きくすることができるので、通電に伴う固定端子及び可動端子の温度上昇を抑制することができる。
【発明を実施するための最良の形態】
【０００８】
以下、本発明の実施形態となる電磁リレーについて説明する。
【０００９】
本発明の実施形態となる電磁リレー１は、図１に示すように、コイル２に流す電流の方向を切り換えることによって固定端子３に対し可動端子４を相対的に変位させることにより対向配置された固定端子３と可動端子４を当接開離するものである。なお電磁リレー１の内部構成及びその動作原理は、本願発明の出願時点で公知であるので、以下ではその説明を省略する。固定端子３及び可動端子４の上端部には、水平面５ａと鉛直面５ｂからなる略Ｌ字形状の補助部材５がカシメ及び溶接接合により取り付けられている。補助部材５の水平面内には固定端子３及び可動端子４を電力メータの端子等の制御対象物に取り付けるためのネジ取付穴５ｃが形成されている。固定端子３及び可動端子４の下端部には電磁リレー１を実装基板に取り付けるためのダミー端子５ｄが形成されている。
【００１０】
このような電磁リレー１の構成によれば、固定端子３及び可動端子４を制御対象物に取り付けるためのネジ取付穴５ｃが鉛直方向に形成されている、換言すればネジ取付面が制御対象物に対し平行に位置しているので、固定端子３及び可動端子４を容易に制御対象物にネジ止めすることができる。またこの結果、図２に示すように電磁リレー１を実装基板の面内方向に２つ並べて配置する場合、電磁リレー１間にネジ止め作業用のスペースを確保する必要がなくなるので、省スペース化を実現することができる。さらには水平面５ａを形成することによりネジ取付部周部の固定端子３及び可動端子４の断面積を広くすることができるので、通電に伴う端子部の温度上昇を抑制することができる。また固定端子３及び可動端子４はネジ取付穴５ｃとダミー端子５ｄの双方において実装面に固定されるので、ネジ取付時及び取付後に端子に加わる荷重を分散させ、端子の信頼性を向上させることができる。
【００１１】
なお上記実施形態では、図１に示す通り補助部材５の水平面５ａを電磁リレー１の高さ方向略上端位置に配置したが、補助部材５を例えば図３に示すように取り付けることにより、ネジ取付穴５ｃに取り付けられるネジの頭部の大きさを考慮して補助部材５の水平面５ａが電磁リレー１の高さ方向中央位置付近に配置されるようにしてもよい。このような構成によれば、ネジ取付穴５ｃに取り付けられるネジの頭部を電磁リレー１の高さ寸法の範囲内に収めることができるので、電磁リレー１の高さ方向の省スペース化を実現することができる。またカシメ接合のためのダボ及び穴位置を固定端子３及び可動端子４側共に同じ位置とし、さらに補助部材５のネジ取付穴５ｃを図４に示すように水平面５ａの中央位置よりずらした位置に形成するようにしてもよい。このような構成によれば、２種類の補助部材５を用意することにより複数のネジ取付位置に対応することが可能になる。
【００１２】
以上、本発明者らによってなされた発明を適用した実施の形態について説明したが、この実施の形態による本発明の開示の一部をなす記述及び図面により本発明は限定されることはない。すなわち、本実施形態に基づいて当業者等によりなされる他の実施の形態、実施例及び運用技術等は全て本発明の範疇に含まれる。
【図面の簡単な説明】
【００１３】
【図１】本発明の実施形態となる電磁リレーの構成を示す斜視図である。
【図２】図１に示す電磁リレーを実装基板の面内方向に２つ並べて配置した状態を示す図である。
【図３】図１に示す電磁リレーの変形例の構成を示す斜視図である。
【図４】図３に示す電磁リレーの変形例の構成を示す斜視図である。
【図５】従来の電磁リレーを実装基板の面内方向に２つ並べて配置した状態を示す図である。
【図６】従来の電磁リレーの固定端子及び可動端子部分を拡大した図である。
【符号の説明】
【００１４】
１：電磁リレー
２：コイル
３：固定端子
４：可動端子
５：補助部材
５ａ：水平面
５ｂ：鉛直面
５ｃ：ネジ取付穴
【図１】
0004683040.tif 000002
【図２】
0004683040.tif 000003
【図３】
0004683040.tif 000004
【図４】
0004683040.tif 000005
【図５】
0004683040.tif 000006
【図６】
0004683040.tif 000007